【事件の表示】
　特許第５７３３５６９号に関する訂正審判事件について、次のとおり審決する。
【結　論】
　特許第５７３３５６９号の明細書及び特許請求の範囲を本件審判請求書に添付された訂正明細書及び特許請求の範囲のとおり、訂正後の請求項〔６、７〕について訂正することを認める。
【理　由】
１　手続の経緯
　本件特許第５７３３５６９号に係る出願は、平成２３年４月１２日に特許出願され、平成２７年４月２４日に特許権の設定登録がされたものであって、平成２９年１月２０日に本件訂正審判が請求されたものである。
２　請求の趣旨
　本件訂正審判の請求の要旨は、特許第５７３３５６９号の明細書及び特許請求の範囲を、本件審判請求書に添付した明細書及び特許請求の範囲のとおり、すなわち下記（１）および（２）のとおり訂正することを求めるものである（なお、下線は訂正箇所を示すため請求人が付したものである。）。
（１）訂正事項１
　本件特許に係る特許請求の範囲の請求項６に「曲率半径が小さくなる状態」と記載されているのを、「曲率半径が
大きく
（２）訂正事項２
　本件特許に係る明細書の段落【００２２】、【００２４】、【００４８】、【００６５】にそれぞれ「曲率半径が小さくなる状態」記載されているのを、「曲率半径が
大きく
３　当審の判断
　以下、訂正事項１及び２について検討する。また、検討に際し、以下、本件特許の願書に添付した明細書及び図面を「本件明細書等」という。また、本件特許の願書に最初に添付した明細書及び図面を「当初明細書等」という。
（１）訂正事項１について
　本件訂正事項１は、本件特許に係る特許請求の範囲の請求項６における発明特定事項である「曲率半径が小さくなる状態」とあるのを、「曲率半径が
大きく
ア　訂正の目的
　本件訂正事項１は、本件特許に係る特許請求の範囲の請求項６において、「搬送コンベヤと、直線状に設定された仮想経路線に沿って物品を載置搬送する直線コンベヤ」とを備え、「前記直線コンベヤが当該直線コンベヤの横幅方向に間隔を隔てた状態で並ぶ一対の搬送部を備え」るものであり、「前記搬送コンベヤが、前記直線コンベヤにおける前記一対の搬送部の間に位置する接続部分と、前記直線コンベヤの横側方に位置する側方部分」とで構成される「搬送設備」において、「前記直線コンベヤにおける前記一対の搬送部の間に位置する接続部分」に設けられて「駆動手段にて回転駆動される複数の駆動ローラ」のうちの「前記側方部分の近くに位置する駆動ローラ群」について、「当該複数の駆動ローラのうちの前記側方部分から遠くに位置する駆動ローラ群」より「曲率半径が
小さく
大きく
　訂正事項１に関連する記載として、本件明細書等及び当初明細書等の図１において、「一対の搬送部の間に位置する接続部分」に設けられた、それぞれ４つの駆動ローラ１７からなる２つの「駆動ローラ群」が看取できる。
　また、本件明細書等の図１及び３において、２つの「駆動ローラ群」のうち、「側方部分１１」に近い側の「駆動ローラ群」の曲率半径が、「側方部分１１」から遠い側の「駆動ローラ群」の曲率半径より大きく形成されていることが看取できる。
　さらに、本件明細書等の段落【００２４】（当初明細書等の段落【００２８】）には、「・・・接続部分に設けられる複数の駆動ローラは、一対の搬送部の間に設けるという制約があるため、駆動ローラの全てを同じ曲率半径で設けた場合は、仮想経路線に沿って広範囲に駆動ローラを設けることができないが、・・・（後略）・・・」と記載されている。
　当該記載における「仮想経路線に沿って」とは、仮想経路線の円弧と同心の円弧の上であることを意味すると解され、また、「広範囲に駆動ローラを設けることができない」とは、当該円弧の上であり且つ一対の搬送部の間には駆動ローラを広範囲に設けることができないことを意味すると解される。すなわち、「駆動ローラの全てを同じ曲率半径で設けた場合は、広範囲に駆動ローラを設けることができない」とは、同じ曲率半径で設けようとすると、「一対の搬送部の間」である「接続部分」から駆動ローラが逸脱してしまうため、一対の搬送部の間には配置することができないことを意味するものと解される。
　ところで、直線コンベヤの直線方向に対し、仮想経路線は、直線コンベヤの直線方向から外れる曲線の経路を描くものであるから、「接続部分」、すなわち一対の搬送部の間から逸脱せずに、仮想経路線の広範囲に駆動ローラを配置するには、下流側に配置する駆動ローラ群の曲率半径を仮想円弧線の中心点Ｐから遠ざかる分だけ大きくすることを要することは自明であり、逆に駆動ローラ群の曲率半径を小さくすると、駆動ローラ群が一対の搬送部の間から逸脱するため、駆動ローラ群の曲率半径を小さくすることは、広範囲に駆動ローラを配置するには不合理なことであることもまた自明である。
　してみれば、本件明細書等の段落【００２４】（当初明細書等の段落【００２８】）の上記記載並びに図１及び３から、「曲率半径が小さくなる状態」という本件訂正前の請求項１における記載は「曲率半径が大きくなる状態」の誤記であることは明らかであり、当業者であれば当該誤記に気付いて「曲率半径が大きくなる状態」という趣旨に理解することが当然であるといえる。
　したがって、訂正事項１は、誤記の訂正を目的とするものであるから、特許法第１２６条第１項ただし書第２号に掲げる誤記の訂正を目的とするものに該当する。
イ　新規事項の有無
　上記アにおいて検討したとおり、当初明細書等の図１及び３には、２つの「駆動ローラ群」のうち、「側方部分１１」に近い側の「駆動ローラ群」の曲率半径が、「側方部分１１」から遠い側の「駆動ローラ群」の曲率半径より大きく形成されていることが看取できる。
　してみれば、訂正事項１は、当初明細書等に記載された事項の全てを総合して導かれる技術的事項の範囲内でするものであり、新たな事項を導入するものではない。
　したがって、訂正事項１は、特許法第１２６条第５項の規定に適合する。
ウ　特許請求の範囲の拡張・変更の存否
　上記アにおいて検討したとおり、訂正前の特許請求の範囲の請求項６の「曲率半径が小さくなる状態」という記載は誤記であることが明らかであり、当業者であれば「曲率半径が大きくなる状態」という趣旨に理解することが当然であるといえるから、訂正事項１は、実質上特許請求の範囲を拡張し、又は変更するものではない。
　したがって、訂正事項１は、特許法第１２６条第６項の規定に適合する。
エ　独立特許要件
（ア）本件発明
　本件訂正後の特許請求の範囲の請求項６及び７に係る発明（以下、「本件発明６」及び「本件発明７」という。）は、訂正特許請求の範囲に記載された請求項６及び７に記載された事項により特定されるとおりのものと認める。
（イ）文献
　特許第５７３３５６９号公報に参考文献として記載された文献は、以下のとおりである。
（イ−１）特開２０１０−０２４０４５（ＪＰ，Ａ）
（イ−２）特開２００７−２２３６８３（ＪＰ，Ａ）
（イ−３）特開２００５−２８０８６８（ＪＰ，Ａ）
（イ−４）国際公開第２０１０／０６１５４６（ＷＯ，Ａ１）
（イ−５）特開昭４７−０２８６７７（ＪＰ，Ａ）
（ウ）判断
　本件発明６における「前記接続部分に設けられて駆動手段にて回転駆動される複数の駆動ローラが、それが設けられた前記上流側コンベヤ部分の前記上流側仮想経路線又は前記下流側コンベヤ部分の前記下流側仮想経路線に沿って円弧状に設けられ、且つ、当該複数の駆動ローラのうちの前記側方部分の近くに位置する駆動ローラ群が、当該複数の駆動ローラのうちの前記側方部分から遠くに位置する駆動ローラ群より曲率半径が小さくなる状態で設けられている」との発明特定事項は、上記各文献のいずれにも記載されていない。そして、本件発明６は、当該発明特定事項を備えることにより、接続部分に広範囲に駆動ローラを配置することが可能となるという作用効果を奏するものである。
　してみれば、本件発明６は、上記各文献記載の発明に基づいて当業者が容易に発明をすることができたということはできない。
　また、他に本件発明６について特許を受けることができないとする理由を発見しない。
　本件発明７は、本件発明６の構成を置換えることなく引用し、さらに特定事項を付したものであるから、本件発明６と同様に、上記各文献記載の発明に基づいて当業者が容易に発明をすることができたということはできず、また、他に本件発明７について特許を受けることができないとする理由を発見しない。
　したがって、本件発明６及び７について、特許出願の際独立して特許を受けることができない発明であるとはいえないから、訂正事項１は、特許法第１２６条第７項の規定に適合する。
オ　小括
　よって、訂正事項１は、特許法第１２６条第１項ただし書第２号に掲げる誤記の訂正を目的とするものに該当し、かつ、同条第５項ないし第７項の規定に適合する。
（２）訂正事項２について
　訂正事項２は、本件特許に係る明細書の段落【００２２】、【００２４】、【００４８】及び【００６５】にそれぞれ「曲率半径が小さくなる状態」と記載されているのを、「曲率半径が大きくなる状態」と訂正しようとするものである。
ア　訂正の目的
　上記（１）アにおいて検討したのと同様に、本件明細書等において「曲率半径が小さくなる状態」という記載は「曲率半径が大きくなる状態」の誤記であることは明らかであり、当業者であれば当該誤記に気付いて「曲率半径が大きくなる状態」という趣旨に理解することが当然であるといえる。
　したがって、訂正事項２は、誤記の訂正を目的とするものであるから、特許法第１２６条第１項ただし書第２号に掲げる誤記の訂正を目的とするものに該当する。
イ　新規事項の有無
　上記（１）イにおいて検討したのと同様に、訂正事項２は、当初明細書等に記載された事項の全てを総合して導かれる技術的事項の範囲内でするものであり、新たな事項を導入するものではない。
　したがって、訂正事項２は、特許法第１２６条第５項の規定に適合する。
ウ　特許請求の範囲の拡張・変更の存否
　上記（１）ウにおいて検討したのと同様に、本件明細書等において、「曲率半径が小さくなる状態」という記載は誤記であることが明らかであり、当業者であれば「曲率半径が大きくなる状態」という趣旨に理解することが当然であるといえるから、訂正事項２は、実質上特許請求の範囲を拡張し、又は変更するものではない。
　したがって、訂正事項２は、特許法第１２６条第６項の規定に適合する。
エ　独立特許要件
　上記（１）エにおいて検討したのと同様に、本件訂正後の特許請求の範囲の請求項６に係る発明及び請求項７に係る発明について、特許出願の際独立して特許を受けることができない発明であるとはいえないから、訂正事項２は、特許法第１２６条第７項の規定に適合する。
オ　小括
　よって、訂正事項２は、特許法第１２６条第１項ただし書第２号に掲げる誤記の訂正を目的とするものに該当し、かつ、同条第５項ないし第７項の規定に適合する。
４　まとめ
　したがって、本件訂正審判の請求に係る訂正は、特許法第１２６条第１項ただし書第２号に掲げる事項を目的とし、かつ、同条第５項ないし第７項の規定に適合するので、当該訂正を認める。
　よって、結論のとおり審決する。